(57)【特許請求の範囲】
【請求項１】
電気エネルギーを直流電圧源（１５）から交流電源網（４）に給電するためのインバータ（５）用の過電圧保護装置であって、少なくとも２つの電流供給線路（２２から２４）と、ノイズ除去キャパシタンス（１３，１４）およびノイズ除去インダクタンス（１２）を含むＥＭＣフィルタ（７）を有する直流電圧入力段（６）とを備え、過電圧アレスタ（２０，２１）が過電圧をアースに対して放出するために設けられている過電圧保護装置において、
過電圧アレスタ（２０，２１）は、直流電圧源（１５）からみてＥＭＣフィルタ（７）の後方で前記線路（２２から２４）に接続されている、ことを特徴とする過電圧保護装置。
【請求項２】
前記直流電圧入力段（６）では、前記直流電圧源（１５）からみて前記過電圧アレスタ（２０，２１）の後方でバッファキャパシタンス（２５）が前記線路（２２から２４）の間に接続されており、前記過電圧アレスタ（２０，２１）は、前記線路（２２から２４）とアースとの間にだけ接続されている、ことを特徴とする請求項１に記載の過電圧保護装置。
【請求項３】
別の過電圧アレスタ（１６，１７）が、前記直流電圧源（１５）からみてＥＭＣフィルタ（７）の前方で前記線路（２２から２４）に接続されているか、または前記直流電圧源（１５）の一部から前記線路（２２から２４）への給電線（８から１１）に接続されている、ことを特徴とする請求項１または２に記載の過電圧保護装置。
【請求項４】
前記別の過電圧アレスタ（１６，１７）は、前記直流電圧源（１５）またはその一部とは空間的に離れて、前記インバータ（５）の個所で前記ＥＭＣフィルタ（７）の前方で前記線路（２２から２４）または前記給電線（８から１１）に接続されている、ことを特徴とする請求項３に記載の過電圧保護装置。
【請求項５】
前記別の過電圧アレスタ（１６，１７）は、前記インバータ（５）のハウジング内で前記線路（２２から２４）または給電線（８から１１）に接続されている、ことを特徴とする請求項４に記載の過電圧保護装置。
【請求項６】
前記別の過電圧アレスタ（１６，１７）は、一方では前記各線路（２２から２４）または前記各給電線（８から１１）とアースとの間で作用し、他方では前記線路（２２から２４）の間または前記給電線（８から１１）の間で作用する、ことを特徴とする請求項３から５までのいずれか一項に記載の過電圧保護装置。
【請求項７】
前記別の過電圧アレスタ（１６，１７）のために差し込みスペースが設けられており、該差し込みスペースの占有が監視装置のスイッチによって問い合わされる、ことを特徴とする請求項３から６までのいずれか一項に記載の過電圧保護装置。
【請求項８】
前記別の過電圧アレスタ（１６，１７）は、放出される過電圧がそれぞれの過電圧アレスタの持続的な変化を引き起こしている場合に前記スイッチを切り換える、ことを特徴とする請求項７に記載の過電圧保護装置。
【請求項９】
前記別の過電圧アレスタ（１６，１７）はそれぞれ、並列の２つの放出経路を有しており、一方の放出経路にはバリスタが、他方の放出経路には自消性の溶融ヒューズが接続されており、
前記バリスタがあらかじめ規定された熱的負荷に曝された場合、スイッチが一方の放出経路を他方の放出経路に切り換え、所属のスイッチが切り換えられる、ことを特徴とする請求項８に記載の過電圧保護装置。
【請求項１０】
少なくとも１つの過電圧アレスタ（２０，２１）に、バリスタ（２６）と該バリスタ（２６）に熱的に結合した溶融ヒューズ（２７）とからなる直列回路が設けられており、監視装置（２９）が前記溶融ヒューズ（２７）を跨ぐ電圧を検知する、ことを特徴とする請求項１から９までのいずれか一項に記載の過電圧保護装置。
【請求項１１】
前記監視装置（２９）は、自立型のエネルギー供給部を有する、ことを特徴とする請求項１０に記載の過電圧保護装置。
【請求項１２】
前記溶融ヒューズ（２７）は自消性ではない、ことを特徴とする請求項１０または１１に記載の過電圧保護装置。
【請求項１３】
前記監視装置（２９）は、特徴的電圧降下により識別された前記溶融ヒューズ（２７）におけるアークを、スイッチ操作により消弧する、ことを特徴とする請求項１０から１２までのいずれか一項に記載の過電圧保護装置。
【請求項１４】
前記監視装置（２９）は、電圧消去のために前記インバータ（５）のスイッチを操作することを特徴とする、請求項１３に記載の過電圧保護装置。
【請求項１５】
前記請求項１から１４までのいずれか一項に記載の過電圧保護装置を備える、複数のストリング（２）を含む光電池装置（１）から電気エネルギーを交流電源網（４）に給電するためのインバータ（５）。
【発明の詳細な説明】
【技術分野】
【０００１】
本発明は、独立請求項１の上位概念の特徴を備える、電気エネルギーを直流電圧源からとりわけ交流電源網に給電するためのインバータ用の過電圧保護装置に関する。さらにこのような過電圧保護装置にとくに適した過電圧アレスタが開示される。とりわけ、新規の過電圧保護装置または新規の過電圧アレスタの好ましい適用が取り扱われる。
【０００２】
本発明は主に、直流電圧源としての光電池装置から電気エネルギーを交流電源網に給電するインバータに関連するものである。光電池装置では、個々の太陽電池モジュールがグループ、いわゆるストリングにまとめられ、このストリングが共通にケーブルを介して交流電源網に接続されるのが通例である。しかし本発明は、直流電圧源としての光電池装置に限定されるものではない。
【０００３】
とりわけ本発明は、電気エネルギーを交流電源網に給電するためのインバータのためのものである。しかし基本的にインバータは、電気エネルギーをそれぞれの直流電圧源から負荷、たとえば電気機械に直接給電するためにも用いることができる。
【０００４】
しかし電気エネルギーを光電池装置から給電するためのインバータでは、太陽電池の全面積が大きく、それぞれのインバータまでのそのケーブル長が長いため、近隣での落雷、いわゆる近隣雷撃により一時的な過電圧がストリングのケーブルに入力結合され、インバータに伝達される危険性が高い。この一時的な過電圧は、インバータのすべての電子および電気構成部材に対する脅威である。
【背景技術】
【０００５】
電気エネルギーを光電池装置から交流電源網に給電するためのインバータを、一時的な過電圧から保護するために、インバータへのすべての給電線に過電圧アレスタを接続するのが通例である。すなわちこの過電圧アレスタは、給電線間でも、各個々の給電線とアースとの間でも作用する。この過電圧アレスタにより、これがその直流電圧入力段の直前に設けられている場合には、インバータは最大に保護される。
【０００６】
独立請求項１の上位概念の特徴を備える過電圧保護装置では、インバータの直流電圧入力段が、ノイズ除去キャパシタンスとノイズ除去インダクタンスを含むＥＭＣフィルタを有している。このＥＭＣフィルタは、電気エネルギーをインバータを介して交流電源網に給電する電磁的互換性のための別の措置とともに使用される。
【０００７】
本発明者は、発生する一時的な過電圧が、インバータの直流電圧入力段の前にある過電圧アレスタによって完全には放出されず、インバータの直流電圧入力段の入力端における電圧レベルに一時的な変化が生じてしまうことを認識した。直流電圧入力段では、一時的な電圧レベルの変化のため、ＥＭＣフィルタのノイズ除去キャパシタンスとノイズ除去インダクタンスにより存在する共振回路の発振が励起され得る。この発振はその励起よりも格段に大きな振幅を有することがあり、そのためインバータの直流電圧入力段に前置された過電圧アレスタにより一時的な過電圧が上手く減衰されても、ＥＭＣフィルタの後方で、危険なほどに高い一時的な過電圧が再び生じることがある。
【０００８】
製品名ＤＥＨＮｇｕａｒｄ（登録商標）の下で、ＤＥＨＮ＋ＳＯＥＨＮＥ  ＧｍｂＨ＋Ｃｏ．ＫＧ、ニュルンベルグ、ドイツ連邦共和国の過電圧アレスタが公知であり、このアレスタでは２つの択一的な放出経路が設けられている。一方の放出経路にはバリスタが配置されており、他方の放出経路には溶融ヒューズが配置されている。２つの経路間の切換スイッチは、最初はバリスタを有する経路にあるが、バネのプリロードの下で溶融ヒューズを有する他方の経路の方向となる。切換スイッチは、バリスタと熱的に接触する溶融エレメントが溶解されない限りこの切換位置に保持される。バリスタの熱が溶融エレメントの溶解を引き起こすほどバリスタが強く負荷されると、これにより切換スイッチは開放され、切換スイッチは放出電流を溶融ヒューズに切り換える。放出電流が引き続き持続すると、溶融ヒューズが溶解する。このとき場合により発生するアークは溶融ヒューズ自体によって消去される。この溶融ヒューズはそのために対応して構成されており、アークの作用に対して耐性がある。切換スイッチは放出電流を溶融ヒューズに切り換えるだけではなく、過電圧アレスタから外に引き出された信号ピンを移動する。この信号ピンでは光学的に、またはマイクロスイッチにより、過電圧保護部が不可逆的に負荷され、少なくとも溶融エレメントの交換と溶融ヒューズの検査が必要であることを検知することができる。この公知の過電圧アレスタの構造は面倒であり、専用の自消性溶融ヒューズを必要とし、対応して費用が掛かる。
【０００９】
通例、インバータの直流電圧入力段は、電流供給線路からのインバータによる拍動した電流減少を補償し、またはその逆流作用を平滑化するために非常に大きなバッファキャパシタンスを有する。
【発明の概要】
【発明が解決しようとする課題】
【００１０】
本発明の基礎とする課題は、インバータのすべての電子的および電気的構成部材を一時的な過電圧およびその結果から有効かつ費用対効果をもって保護する、電気エネルギーを直流電圧源から交流電源網に給電するためのインバータ用の過電圧保護を提供することである。
【課題を解決するための手段】
【００１１】
この課題は、独立請求項１の特徴を備える過電圧保護装置によって解決される。請求項１０は、新規の過電圧保護装置において有利に使用可能な過電圧アレスタに関するものである。従属請求項は、新規の過電圧アレスタの新規の過電圧保護装置の好ましい実施形態を示す。ここで請求項１５は、新規の過電圧保護装置および／または新規の過電圧アレスタを備えた、複数のストリングを含む光電池装置から電気エネルギーを交流電源網に給電するためのインバータに関するものである。
【００１２】
発明の説明
新規の過電圧保護装置では、アースに対する過電圧を放出するための過電圧アレスタが、直流電圧源からみてＥＭＣフィルタの後方で、インバータの電流供給線路に接続されている。過電圧アレスタは、一時的な過電圧によるＥＭＣフィルタの励振に起因する過電圧も放出することができ、インバータをこの過電圧からも保護することができる。
【００１３】
ここでは、過電圧アレスタをＥＭＣフィルタの後方で、線路とアースとの間に接続するだけで十分であることが判明した。すなわち、個々の線路間に作用する過電圧のための過電圧アレスタを省略することができる。これは、直流電圧入力段内に、直流電圧源からみて過電圧アレスタの後方で線路間に接続されたバッファキャパシタンスの作用である。このバッファキャパシタンスの大きさは一般的に、アースへの放出をまだトリガしない線路間の過電圧を危険のない程度に減衰するのには十分である。
【００１４】
これはとりわけ、新規の過電圧保護装置において、別の過電圧アレスタが直流電圧源からみてＥＭＣフィルタの前方で、線路に、または直流電圧源の部分から線路への給電線に接続されている場合に当てはまる。この給電線はたとえば、光電池装置の個々のストリングからのケーブルであって良い。したがって別の過電圧アレスタは、ＥＭＣフィルタも保護し、ＥＭＣフィルタの後方で給電線に入力結合された一時的な過電圧によるそれぞれの過電圧を、この過電圧アレスタによって阻止することができない場合であっても、ＥＭＣフィルタの励起が発振に至る可能性を限界内に留まるようにする。
【００１５】
この別の過電圧アレスタは、それぞれ直流電圧源もしくはその一部と直流電圧入力段のＥＭＣフィルタとの間であれば、どこにでも設けることができる。しかし好ましくは、この別の過電圧アレスタは、ＥＭＣフィルタの直前で線路または給電線に接続される。すなわち、この別の過電圧アレスタが、直流電圧源またはその一部から空間的に離れてインバータの個所に、とりわけインバータのハウジング内に直接設けられていると好ましい。これにより一つには、給電線に入力結合される一時的な過電圧のすべてを、これがＥＭＣフィルタに達する前にこの別の過電圧アレスタによって放出することができる。もう一つには、インバータの個所にある過電圧アレスタを中央で監視することができる。しかしもちろん、たとえば個々の太陽電池モジュールを保護するために、さらに別の過電圧アレスタをその太陽電池モジュールの近傍で給電線に接続することができる。
この別の過電圧アレスタでは、これがアースに対してだけでなく、線路もしくは給電線の間でも作用するのが好ましい。
【００１６】
具体的には、この別の過電圧アレスタのために、とりわけインバータのハウジング内に差し込みスペースを直接設けることができ、その差し込みスペースの占有が監視装置のスイッチによって問い合わされる。この同じスイッチは、それぞれの過電圧アレスタが外部の介入なしに不可逆的に変化するほど負荷された場合に、好ましくは切り換えられる。具体的には、この別の過電圧アレスタはそれぞれ２つの並列の放出経路を有しており、一方の放出経路にはバリスタが、他方の放出経路には自消性溶融ヒューズが接続されており、バリスタがあらかじめ規定された熱的負荷に曝された場合、切換スイッチが一方の放出経路を他方の放出経路に切り換え、差し込みスペースにある所属のスイッチが切り換えられる。
【００１７】
この種の過電圧アレスタは基本的に、直流電圧源からみてＥＭＣフィルタの後方に配置された本発明の過電圧アレスタとしても使用することができる。これにより発生する付加的コストは、アースに対する過電圧からだけ保護すれば良いため、必要な過電圧アレスタの数が少ないことから低減される。しかし付加的な費用コストは相変わらず莫大なものである。
【００１８】
したがって本発明により、とりわけ、バリスタおよびこのバリスタと熱的に結合された溶融ヒューズからなる直列回路が設けられている個所に過電圧アレスタを使用することが提案される。ここで監視装置が、溶融ヒューズを介して降下する電圧を検知する。熱的に結合されているので、溶融ヒューズは、バリスタが過熱するおそれがある場合にバリスタを流れる放出電流を遮断する。ここでは、溶解により互いに分離される溶融ヒューズの部分の間にアークが発生し得る。このアークは、監視装置によって簡単に検出することができる。なぜならアークは、溶融ヒューズを介する特徴的な電圧降下と結び付いているからである。溶融ヒューズがまだ溶解していない限り、溶融ヒューズを介して降下する電圧はゼロである。溶融ヒューズが溶解し、放出電流を遮断し、このときにアークが（それ以上）存在しなければ、溶融ヒューズを介して降下する電圧は、このヒューズが接続された線路のアースに対する電圧に相当する。アークが存在する場合だけ、電圧降下は、この値からアークの内部抵抗に対応して数１０Ｖ異なる。
【００１９】
したがって新規の過電圧アレスタでは、自消性でない溶融ヒューズを使用することができ、対応して専用の自消性溶融ヒューズよりも格段に安価である。すなわち監視装置は、特徴的な電圧降下に基づいて識別された溶融ヒューズにおけるアークを、スイッチ操作により消弧することができる。ここでは、アークを維持する溶融ヒューズを介した外部電圧を、短時間遮断する専用の消弧スイッチを操作することができる。しかし新規の過電圧アレスタを新規の過電圧保護装置に使用する場合、監視装置がアーク消弧のために、いずれにしろ存在しているインバータのスイッチを操作して、アークを維持する外部電圧を少なくとも一時的に消失させるのが好ましい。
【００２０】
いずれの場合でも監視装置は、溶融ヒューズの状態がどのようであるかを確定することができ、溶融ヒューズの交換の必要性を指示するために、この状態を外部に出力することができる。
【００２１】
しかし新規の過電圧保護装置に好ましくは使用される過電圧アレスタのすべてにより、これらが高い放出電流により外部の介入なしで変化した場合であっても、インバータがその基本機能を失うようなことはない。そうではなくインバータは、生じうるアークが消弧した後に、過電圧保護がまだ制限されていても、または場合によりまったく存在しなくなっていても、直流電圧源から電気エネルギーを給電するために相変わらず動作することができる。とりわけ、複数の一時的な過電圧が連続して発生する危険性は、統計的に見て無視できる。
【００２２】
新規の過電圧アレスタまたは新規の過電圧保護装置では、監視装置が、放出すべき一時的な過電圧に対して保護されており、かつインバータの入力電圧または交流電源網の電源電圧に依存しない自立型のエネルギー供給部を有するのが好ましい。なぜなら過電圧保護が、たとえば夜でも電源喪失の場合でも保証されるからである。少なくとも監視装置は、長期間の間、自己給電型であるべきであるが、しかし適切に構成されたアキュムレータ、コンデンサまたは他のエネルギーバッファからの給電でも十分である。
【００２３】
新規の過電圧保護装置および／または新規の過電圧アレスタを、複数のストリングを含む光電池装置から電気エネルギーを給電するために交流電源網に接続されたインバータで使用するのがとりわけ有利である。なぜならここでは、近隣雷撃による一時的な過電圧が、ストリングのケーブルが長いため、入力結合される危険性がとくに高いからである。
【００２４】
本発明の有利な改善形態は、特許請求の範囲、明細書、および図面から明らかである。明細書冒頭部に述べた特徴および複数の特徴の組合せの利点は単なる例であり、本発明の実施形態によって強制的に利点を達成する必要なしに、択一的にまたは累積的に作用することができる。さらなる特徴は、図面、とりわけ複数の構成部材相互の幾何形状および寸法、ならびにそれらの作用結合の関連構成を示す図面から理解される。本発明の種々の実施形態の特徴の組合せ、または異なる特許請求の範囲の特徴の組合せは、特許請求の範囲に選択された引用と異なっても可能であり、これに関して動機付けになる。これは、別個の図面に図示されている特徴、またはそれらの説明に述べられた特徴についても当てはまる。これらの特徴は、異なる特許請求の範囲の特徴と組み合わせることもできる。同様に特許請求の範囲に挙げられた特徴は、本発明のさらなる実施形態に割り当てることができる。
【００２５】
図面の説明
以下、添付図面を参照し、実施形態に基づき詳細に説明する。
【図面の簡単な説明】
【００２６】
【図１】本発明の過電圧保護装置の基本図である。
【図２】図１の過電圧保護装置の二次的過電圧保護を別個に示す図である。
【図３】図２の過電圧アレスタの１つにおけるアーク消弧を説明するためのブロック図である。
【図４】図２の過電圧アレスタの１つにおけるアーク消弧の第１変形例を示す図である。
【図５】図２の過電圧アレスタの１つにおけるアーク消弧の第２変形例を示す図である。
【図６】図２の過電圧アレスタの１つにおけるアーク消弧の第３変形例を示す図である。
【発明を実施するための形態】
【００２７】
図１は、それぞれ複数の太陽電池モジュール３からなる２つのストリング２を有する光電池装置１から電気エネルギーを交流電源網４に給電するための回路装置を示す。給電は、直流電圧入力段６を有するインバータ５を介して行われる。ストリング２から到来する各給電線８〜１１にノイズ除去インダクタンス１２を有するＥＭＣフィルタ７は、直流電圧入力段６の一部である。さらにＥＭＣフィルタ７は、ノイズ除去キャパシタンス１３と１４を有し、これらはストリング２のそれぞれ２つの給電線８と９もしくは１０と１１の間、または給電線８〜１１とアースとの間に設けられている。太陽電池モジュール３、すなわち直流電源１５として用いられる光電池装置からみてＥＭＣフィルタ７の前方には過電圧アレスタ１６と１７が設けられており、これらは各給電線８〜１１上の一時的な過電圧を、別の給電線の１つまたはアースに対して放出する。この過電圧アレスタ１６と１７は、一次過電圧保護部１８を形成する。この過電圧保護部は、インバータ５も含めて以降の部材すべてと同じように中央個所に設けられており、好ましくは共通のハウジング内に収納されている。直流電圧源１５からみてＥＭＣフィルタ７の後方には二次過電圧保護部１９が設けられている。この二次過電圧保護部１９は、インバータ５に後置接続された部材を、一次過電圧保護１８があるにもかかわらずＥＭＣフィルタ７の後方に達する一時的な過電圧、またはそれどころか発振の励起されたＥＭＣフィルタ７によって再び増幅された一時的な過電圧から保護する。二次過電圧保護部１９は過電圧アレスタ２０と２１を有し、これらの過電圧アレスタ２０と２１は、一方では通しの給電線８および１０と他方ではアースとの間に、または一方では２つのストリングのまとめられた電流供給線路２２と他方ではアースとの間に接続されている。ここで、通しの給電線８と１０もＥＭＣフィルタ７の向こう側では、電流供給線路２３と２４として示されている。というのは、これらの線路が直流電圧入力段６のＤＣ／ＤＣ変換器３５に電流を供給するからである。さらに直流電圧入力段６には、バッファキャパシタンス２５が設けられている。バッファキャパシタンス２５は通常、大きく設計されているから、二次過電圧保護部１９の過電圧アレスタ２０と２１をアースに対してだけ設ければ十分であり、線路２２〜２４の間には設けられていない。その上、過電圧アレスタ２０と２１は、一次過電圧保護部１８の過電圧アレスタ１６と１７とは異なり、比較的単純に構成されている。この過電圧アレスタ１６と１７は、ＤＥＨＮ＋ＳＯＥＨＮＥ  ＧｍｂＨ＋Ｃｏ．ＫＧ、ニュルンベルグ、ドイツ連邦共和国の製品ＤＥＨＮｇｕａｒｄ（登録商標）とすることができる。
【００２８】
過電圧保護部１９の可能な具体的構造が図２に示されている。過電圧アレスタ２０は、それぞれ、２つのストリングの正極とアースとの間に設けられており、一方、過電圧アレスタ２１は２つのストリングの負極とアースとの間に設けられている。各過電圧アレスタ２０と２１は、バリスタ２６と溶融ヒューズ２７からなる直列回路を有し、所属のバリスタ２６に生じうる温度上昇にそれぞれの溶融ヒューズ２７を曝す熱的結合部２８が設けられている。これにより、一時的な過電圧が高いため大きな放出電流の放出により所属のバリスタ２６が損傷するおそれがある場合、またはすでに損傷している場合、溶融ヒューズ２７が溶解することが達成される。各溶融ヒューズ２７を介する電圧を求める監視装置により、それぞれの過電圧アレスタ２０と２１の目下の状態が求められる。それぞれの溶融ヒューズ２７がまだ溶解していなければ、溶融ヒューズを介して電圧は印加されない。溶融ヒューズが溶解していると、所属の線路上の電圧がこれを介してアースに印加される。しかし溶融ヒューズが溶解して分離された極の間にアークが点弧すると、それぞれの監視装置２９は数１０Ｖのオーダーの特徴的電圧を検知する。この特徴的電圧は、それぞれの線路がアースに対してゼロ電圧またはフル電圧であるときの前記２つの電圧から有意に偏差する。監視装置２９が所属の溶融ヒューズ２７におけるアークを検知すると、監視装置２９はこのアークを消弧する。
【００２９】
図３のブロック回路図は、インバータ５と電源４との間には通例、電源リレー３０が設けられていることを示す。電源リレー３０の開放およびインバータ５を介する直流電源１の短絡により、アークに給電する電圧が、図２のそれぞれの溶融ヒューズ２７が自消性の溶融ヒューズでない場合であっても、またアークによる持続的負荷に適しない場合であっても、アークが消弧するまで降下される。とりわけ図３は、好ましくは付加的に設けられた、直流電源１を保護するための過電圧ヒューズ３１を示す。
【００３０】
図４は、付加的にスイッチ３２が設けられており、このスイッチ３２の開放によってヒューズを介するアークを消弧することのできる過電圧アレスタ２０と２１示す。図４では、以降の図と同じように、溶融ヒューズ２７を介して降下する電圧を測定する監視装置２９は、分かりやすくするため図示されていない。
【００３１】
図５の過電圧アレスタ２０、２１の変形例では、スイッチ３２が溶融ヒューズ２７と直列には接続されておらず、スイッチ３３が溶融ヒューズに並列に設けられている。アークを消弧するために、このスイッチ３３を短時間、閉成することにより、溶融ヒューズを介してアークを維持する電圧を短絡することができる。
【００３２】
図６によればこのスイッチ３３は、消弧コンデンサ３４と直列に接続されており、消弧コンデンサ３４はスイッチ３３を通って流れる電荷、すなわち短絡電流を制限する。
【符号の説明】
【００３３】
１  光電池システム
２  ストリング
３  太陽電池モジュール
４  交流電源網
５  インバータ
６  直流電圧入力段
７  ＥＭＣフィルタ
８  給電線
９  給電線
１０  給電線
１１  給電線
１２  ノイズ除去インダクタンス
１３  ノイズ除去キャパシタンス
１４  ノイズ除去キャパシタンス
１５  直流電圧源
１６  過電圧アレスタ
１７  過電圧アレスタ
１８  一次保護部
１９  二次保護部
２０  過電圧アレスタ
２１  過電圧アレスタ
２２  線路
２３  線路
２４  線路
２５  バッファキャパシタンス
２６  バリスタ
２７  溶融ヒューズ
２８  熱的結合部
２９  監視装置
３０  電源リレー
３１  過電流ヒューズ
３２  スイッチ
３３  スイッチ
３４  消弧コンデンサ
３５  ＤＣ／ＤＣ変換器
【図１】
0005517088.tif 000002
【図２】
0005517088.tif 000003
【図３】
0005517088.tif 000004
【図４】
0005517088.tif 000005
【図５】
0005517088.tif 000006
【図６】
0005517088.tif 000007